(57)【要約】【目的】  番組情報の取得のためのチューナ動作時間を極力短くして電力消費を抑制できるディジタル放送受信装置を提供する。【構成】  このディジタル放送受信装置はＥＰＧ時間帯指定が行えるように構成されている。ユーザは、ＥＰＧ時間帯指定を行うときには、メニュー画面を呼び出し、「ＥＰＧ時間帯指定」の項目にカーソルを載せて決定キーを押下する。「ＥＰＧ時間帯指定」が選択されたとき、ＣＰＵは時間入力枠を画面に表示する。ユーザが数字キーを操作して「２０２４」といった数字を入力すると、ＣＰＵは午後８時から午後１２時までの時間帯の番組情報の取得が要請されたと認識する。ＣＰＵは例えば午後５時になると番組情報取得処理を開始する。ＣＰＵはＥＰＧ時間帯指定における指定時間帯の情報を参照し、当該指定時間帯の番組情報の全てを取得できたかどうかを判断し、取得できたときには番組情報取得処理を終了する。【選択図】        図１
2006148626.tif 000002
【特許請求の範囲】
【請求項１】
受信したディジタル放送波から番組情報を分離し、この分離した番組情報に基づいて電子番組ガイドを表示するように構成されたディジタル放送受信装置において、所望の時間帯に放送される予定の番組の番組情報を取得するための時間帯情報の入力を受け付ける手段と、入力された時間帯情報を記憶する手段と、番組情報の取得処理中に前記所望の時間帯に放送される予定の番組の番組情報が全て取得できたときに番組情報の取得処理を終了する処理制御手段と、を備えたことを特徴とするディジタル放送受信装置。
【請求項２】
請求項１に記載のディジタル放送受信装置において、受信可能な全てのチャンネルについての前記指定時間帯の番組情報が取得できた時点で番組情報の取得処理を終了するように構成されたことを特徴とするディジタル放送受信装置。
【請求項３】
請求項１に記載のディジタル放送受信装置において、ユーザにより予め指定された一つ又は複数のチャンネルについての前記指定時間帯の番組情報が取得できた時点で番組情報の取得処理を終了するように構成されたことを特徴とするディジタル放送受信装置。
【請求項４】
請求項１乃至請求項３のいずれかに記載のディジタル放送受信装置において、前記指定時間帯の番組情報の取得処理で全ての指定時間帯の番組情報の取得を完了できなかったときには、インターバルの後、前記指定時間帯の始まりの前の時刻に少なくとも１回の再度の番組情報取得処理を行うように構成されたことを特徴とするディジタル放送受信装置。
【請求項５】
受信したディジタル放送波から番組情報を分離し、この分離した番組情報に基づいて電子番組ガイドを表示するように構成されたディジタル放送受信装置において、所望の時間帯に放送される予定の番組の番組情報を取得するための時間帯情報の入力を受け付ける手段と、入力された時間帯情報を記憶する手段と、番組情報の取得処理のイベント発生時に前記所望の時間帯に放送される予定の番組の番組情報が全て取得できているかどうかを判断し、全て取得できているときには番組情報の取得処理を実行しないこととする処理制御手段と、を備えたことを特徴とするディジタル放送受信装置。
【請求項６】
請求項５に記載のディジタル放送受信装置において、受信可能な全てのチャンネルについての前記指定時間帯の番組情報が取得できているときには番組情報の取得処理を行わないこととするように構成されたことを特徴とするディジタル放送受信装置。
【請求項７】
請求項５に記載のディジタル放送受信装置において、ユーザにより予め指定された一つ又は複数のチャンネルについての前記指定時間帯の番組情報が取得できているときには番組情報の取得処理を行わないこととするように構成されたことを特徴とするディジタル放送受信装置。
【請求項８】
請求項１乃至請求項７のいずれかに記載のディジタル放送受信装置において、前記時間帯情報は曜日で異なった指定が行えるように構成されたことを特徴とするディジタル放送受信装置。
【請求項９】
請求項１乃至請求項８のいずれかに記載のディジタル放送受信装置において、前記時間帯情報が記憶されている場合、前記電子番組ガイドの表示を前記指定時間帯の始まりの番組から行うように構成されたことを特徴とするディジタル放送受信装置。
【請求項１０】
請求項１乃至請求項９のいずれかに記載のディジタル放送受信装置において、地上ディジタル放送を受信する携帯型又は移動型として構成されたことを特徴とするディジタル放送受信装置。
【発明の詳細な説明】
【技術分野】
【０００１】
この発明は、ディジタル放送を受信するディジタル放送受信装置に関する。
【背景技術】
【０００２】
ディジタル放送では、放送波に番組情報を載せており、受信機は前記番組情報に基づいてＥＰＧ（電子番組ガイド）表示が可能である（特許文献１参照）。
【特許文献１】特開２００３−１６３８４９号公報
【発明の開示】
【発明が解決しようとする課題】
【０００３】
しかしながら、特に地上ディジタル放送では、全放送局の全時間帯の番組情報を取得しようとした場合、常にチューナが動作し続けることになり、消費電力が増大する。特に、バッテリを利用する携帯型等のディジタル放送受信装置においては、消費電力の増大を抑制することは重要な課題である。
【０００４】
この発明は、上記の事情に鑑み、番組情報の取得のためのチューナ動作時間を極力短くして電力消費を抑制することができるディジタル放送受信装置を提供することを目的とする。
【課題を解決するための手段】
【０００５】
この発明のディジタル放送受信装置は、上記課題を解決するために、受信したディジタル放送波から番組情報を分離し、この分離した番組情報に基づいて電子番組ガイドを表示するように構成されたディジタル放送受信装置において、所望の時間帯に放送される予定の番組の番組情報を取得するための時間帯情報の入力を受け付ける手段と、入力された時間帯情報を記憶する手段と、番組情報の取得処理中に前記所望の時間帯に放送される予定の番組の番組情報が全て取得できたときに番組情報の取得処理を終了する処理制御手段と、を備えたことを特徴とする。
【０００６】
上記の構成であれば、番組情報の取得のためのチューナ動作時間は極力短くなり、電力消費を抑制することができる。また、例えば、ビジネスマンであれば、昼間の番組を視聴することは殆ど無く、ユーザ入力で例えば２０時から２４時に限定された電子番組ガイドが表示されることとなっても、何ら不都合はないと考えられる。
【０００７】
上記構成のディジタル放送受信装置において、受信可能な全てのチャンネルについての前記指定時間帯の番組情報が取得できた時点で番組情報の取得処理を終了するように構成されていてもよい。或いは、ユーザにより予め指定された一つ又は複数のチャンネルについての前記指定時間帯の番組情報が取得できた時点で番組情報の取得処理を終了するように構成されていてもよい。
【０００８】
これら構成のディジタル放送受信装置において、前記指定時間帯の番組情報の取得処理で全ての指定時間帯の番組情報の取得を完了できなかったときには、インターバルの後、前記指定時間帯の始まりの前の時刻に少なくとも１回の再度の番組情報取得処理を行うように構成されていてもよい。
【０００９】
また、この発明のディジタル放送受信装置は、受信したディジタル放送波から番組情報を分離し、この分離した番組情報に基づいて電子番組ガイドを表示するように構成されたディジタル放送受信装置において、所望の時間帯に放送される予定の番組の番組情報を取得するための時間帯情報の入力を受け付ける手段と、入力された時間帯情報を記憶する手段と、番組情報の取得処理のイベント発生時に前記所望の時間帯に放送される予定の番組の番組情報が全て取得できているかどうかを判断し、全て取得できているときには番組情報の取得処理を実行しないこととする処理制御手段と、を備えたことを特徴とする。
【００１０】
かかる構成においても、番組情報の取得のためのチューナ動作時間は極力短くなり、電力消費を抑制することができる。
【００１１】
上記構成のディジタル放送受信装置において、受信可能な全てのチャンネルについての前記指定時間帯の番組情報が取得できているときには番組情報の取得処理を行わないこととするように構成されていてもよい。或いは、ユーザにより予め指定された一つ又は複数のチャンネルについての前記指定時間帯の番組情報が取得できているときには番組情報の取得処理を行わないこととするように構成されていてもよい。
【００１２】
これら構成のディジタル放送受信装置において、前記時間帯情報は曜日で異なった指定が行えるように構成されていてもよい。
【００１３】
また、これら構成のディジタル放送受信装置において、前記時間帯情報が記憶されている場合、前記電子番組ガイドの表示を前記指定時間帯の始まりの番組から行うように構成されていてもよい。
【００１４】
また、これら構成のディジタル放送受信装置は、地上ディジタル放送を受信する携帯型又は移動型として構成されていてもよい。
【発明の効果】
【００１５】
以上説明したように、この発明によれば、番組情報の取得のためのチューナ動作時間は極力短くなり、電力消費を抑制することができるという効果を奏する。
【発明を実施するための最良の形態】
【００１６】
以下、この発明の実施形態のディジタル放送受信装置を図１乃至図３に基づいて説明する。なお、ここでは、ＴＶ付き携帯電話として構成された地上ディジタル放送受信装置を例示している。
【００１７】
図１はＴＶ付き携帯電話１０を示したブロック図である。このＴＶ付き携帯電話１０は、電話機能部３０とディジタル放送受信部２０とを備えて成る。電話機能部３０は、制御部３１と、無線通信部３２と、音声処理部３３と、メモリ部３４と、キー入力部（操作部）３５と、表示部（例えば、液晶パネル）３６と、データ処理部３７とを備えて成る。通常の電話処理において受信した音声信号は音声処理部３３を介してスピーカ３８に与えられる一方、ユーザの発した音声はマイク３９にて音声信号となり、音声処理部３３で増幅等の処理がなされた音声信号は無線通信部３２によって送出される。データ処理部３７は受信したパケットに対する処理を行う。無線通信部３２は、音声やデータの送受信処理、基地局６０との間での所定のプロトコル処理（送信時処理、受信時処理）を行う。制御部３１は電話機能部３０における全体制御を行うと共に、ディジタル放送受信部２０との間の連携のための処理を行う。例えば、基本的な処理として、キー入力部３５においてテレビ機能起動キーがＯＮ操作されたときには、ディジタル放送受信部２０にＯＮ指令を与え、ディジタル放送受信部２０から出力される映像を表示部３６に与える処理や、キー入力部３５のテンキーが操作されたときに、その番号をチャンネル番号とする選局指令をディジタル放送受信部２０に与える処理などを行う。
【００１８】
次に、ディジタル放送受信部２０を図２に基づいて説明していく。地上アンテナ１は受信した信号を地上波ディジタルチューナ２に与える。地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００１９】
デマルチプレクサ（ＤＥＭＵＸ）３は、前記トランスポート・ストリームを、ＩＥＥＥにおけるＨ．２６４などのビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）や放送情報（地域識別子，サービス種別，放送局識別，サービス番号、リモートコントロールキーＩＤ）などに分離する。デマルチプレクサ３は、ビデオストリームとオーディオストリームをＡＶデコーダ４に供給し、ＰＳＩ／ＳＩや放送情報等（これら情報を番組情報という）をＣＰＵ１３に供給する。
【００２０】
ＡＶデコーダ４は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００２１】
映像処理回路５はＡＶデコーダ４から映像データを受け取り、例えば、ＲＧＢデータを生成する。ＲＧＢデータは前記表示部３６に与えられて映像表示がなされる。音声処理回路６はＡＶデコーダ４から出力された音声データを受け取ってＤ／Ａ変換を行い、例えば右（Ｒ）音のアナログ信号及び左（Ｌ）音のアナログ信号を生成する。これら音声信号はスピーカ３８又は通話用とは別に設けられた図示しないスピーカに供給される。
【００２２】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、メニュー画面やＥＰＧ画面などの表示が行えることになる。
【００２３】
メモリ（例えば、ＲＡＭ、ＥＥＰＲＯＭ、フラッシュメモリ等）１４には、チャンネルテーブル（周波数情報や放送局名等をリモートコントロールキーＩＤやチャンネル番号に対応させたチャンネルリスト）などが格納される。
【００２４】
ＣＰＵ１３は、外部入出力インターフェイス９を介して電話機能部３０と情報の遣り取りを行う。また、ＣＰＵ１３は、ディジタル放送受信部２０によるチャンネルサーチ処理及びそのサーチ結果（チャンネルテーブル）を利用した選局処理等を行うことが可能である。
【００２５】
ここで、メニュー画面上の項目として、「ＥＰＧ時間帯指定」といった名称の項目が用意されている。ユーザは、ＥＰＧ時間帯指定を行うときには、メニュー画面を呼び出し、「ＥＰＧ時間帯指定」の項目にカーソルを載せて決定キーを押下すればよい。この実施形態では、メニュー画面の表示処理はＣＰＵ１３が行うこととしており、ユーザによるキー操作情報は制御部３１を介してＣＰＵ１３に与えられる。ＣＰＵ１３は、「ＥＰＧ時間帯指定」が選択されたとき、時間入力枠を画面に表示し、指定時間となる数字キーの入力を待つ。ユーザは、午後８時から午前０時までの間に始まる番組のＥＰＧを得たいのであれば、数字キーを操作して「２０２４」といった数字を入力する。この数字情報は制御部３１からＣＰＵ１３に与えられ、ＣＰＵ１３は午後８時から午前０時までの時間帯の番組情報の取得が要請されたと認識する。
【００２６】
ＣＰＵ１３は、図示しない時計機能部から時刻情報を取得し、現在時刻が前記ＥＰＧ時間帯指定で指定された時間帯の始まり時刻の例えば３時間前になったかどうかを判断する。上記の例であれば、ＣＰＵ１３は午後５時になったかどうかを判断し、午後５時になったのであれば、番組情報取得処理を開始する。なお、番組情報取得処理の開始は、ユーザによってＥＰＧ表示指令がなされたとき、或いは、所得処理開始時刻設定がなされているときには、その設定時刻が到来したときにも行われる。番組情報の取得処理は、各チャンネルの放送波を受信するためのチューニング処理、受信した放送波からＰＳＩ／ＳＩ等を分離する処理、分離したＰＳＩ／ＳＩ等をメモリ１４に格納する処理等からなる。
【００２７】
図３に番組情報取得処理のフローチャートを示す。ＣＰＵ１３は、番組情報の取得処理の開始時、ＥＰＧ時間帯指定が存在するかどうかを判断し（ステップＳ１）、指定が存在する場合には指定時間帯の情報を参照し（ステップＳ２）、当該指定時間帯の番組情報の全てがメモリ１４に格納されているかどうかを判断する（ステップＳ３）。指定時間帯の番組情報の全てがメモリ１４に格納されているときには、番組情報取得処理を終了する。なお、ステップＳ１の判断は、番組情報取得のためのチューナの起動後に行ってもよいし、チューナ起動前に行うこととしてもよい。
【００２８】
一方、指定時間帯の番組情報の全て又は一部がメモリ１４に格納されていないときには、番組情報取得処理（チューニング、ＰＳＩ／ＳＩ取得格納）を行い（ステップＳ４）、指定時間帯の番組情報の全てを取得できたかどうかを判断する（ステップＳ５）。全てを取得できたときには、番組情報取得処理を終了する。全てを取得できていないならば、インターバルの後（ステップＳ６）、ステップＳ４に進んで番組情報取得処理を再度行う。この再度の番組情報取得処理は、ステップＳ２で参照した指定時間帯と現在時刻とを比較し、前記指定時間帯の始まりの前の時刻に少なくとも１回行うのがよい。
【００２９】
ステップＳ１において、「ＥＰＧ時間帯指定」がないときは、現時点で取得可能な全時間帯の番組情報を取得し（ステップＳ７）、番組情報取得処理を終了する。
【００３０】
ユーザがＥＰＧ表示の操作（指令）を行ったとき、現在放送中の番組からＥＰＧ表示を行うこととしてもよい。また、上記の「ＥＰＧ時間帯指定」が設定されている場合には、指定時間帯の始まりの番組からＥＰＧ表示を行うこととしてもよい。また、上記の「ＥＰＧ時間帯指定」が設定される場合において、ユーザがＥＰＧ表示の操作（指令）を行ったときに指定時間帯の番組情報の全てが取得できているときには、チューナを起動することなく、直ちにＥＰＧ表示が行えることになる。一方、ユーザがＥＰＧ表示の操作（指令）を行ったときに指定時間帯の番組情報の全ての取得を完了できていないときには、チューナを起動し、前述したステップＳ４の処理を行うことになる。この場合、取得できた分について（取得済の番組情報及び新たに取得した番組情報に基づいて）、ＥＰＧ表示を行うことになる。
【００３１】
なお、チャンネルとの関係においては、受信可能な全てのチャンネルについての前記指定時間帯の番組情報が取得できた時点で番組情報の取得処理を終了するようにしてもよいし、或いは、ユーザにより予め指定された一つ又は複数のチャンネルについての前記指定時間帯の番組情報が取得できた時点で番組情報の取得処理を終了するように構成されていてもよい。また、同様に、チャンネルとの関係においては、受信可能な全てのチャンネルについての前記指定時間帯の番組情報が取得できているときには番組情報の取得処理を行わないこととしてもよいし、或いは、ユーザにより予め指定された一つ又は複数のチャンネルについての前記指定時間帯の番組情報が取得できているときには番組情報の取得処理を行わないこととしてもよい。
【００３２】
また、ＥＰＧ時間帯指定は土曜日及び日曜日には適用されない構成（土曜日及び日曜日は全時間帯指定）としてもよい。勿論、各曜日ごとにＥＰＧ時間帯指定が行えるように構成してもよい。
【００３３】
また、上記の例では、ＴＶ機能付き携帯電話として説明したが、携帯型或いは移動型のディジタル放送受信装置として構成してもよい。また、携帯型或いは移動型に限らず、据え置き型のディジタル放送受信装置としてもよい。また、地上波ディジタル放送に限らず、衛星（ＣＳ／ＢＳ）ディジタル放送の受信装置としても構成できる。なお、番組情報取得のためのチューナ起動による電力消費は、携帯型或いは移動型の地上波ディジタル放送受信装置において問題となり易いので、このような構成において本願発明の利点がより発揮される。
【図面の簡単な説明】
【００３４】
【図１】この発明の実施形態の携帯電話を示したブロック図である。
【図２】この発明の実施形態の携帯電話の放送受信部を示したブロック図である。
【図３】この発明の実施形態の処理内容を示したフローチャートである。
【符号の説明】
【００３５】
１０    携帯電話
２０    ディジタル放送受信部
３０    電話機能部
３１    制御部
３２    無線通信部
【図１】
2006148626.tif 000003
【図２】
2006148626.tif 000004
【図３】
2006148626.tif 000005